(57)【要約】【目的】  本発明の目的は、記録媒体の一方の面に画像を記録した後にその表裏を反転して排出可能な記録装置において、複数枚の記録媒体に連続して画像を記録するためにかかる時間を短縮することが可能な記録装置を提供することにある。【解決手段】  フェイスダウン排紙モードが設定された場合に、先に給紙され、画像が記録された記録紙Ｐ（Ｘ）を第２搬送部２８に案内した後に、記録紙Ｐ（Ｘ）と記録紙Ｐ（Ｘ＋１）とが第１所定量Ｌだけずれて重なるように記録紙Ｐ（Ｘ＋１）を給紙する。重なり合う記録紙Ｐ（Ｘ）及び記録紙Ｐ（Ｘ＋１）のうちの記録紙Ｐ（Ｘ＋１）に画像が記録された後に、記録紙Ｐ（Ｘ）が排出される。記録紙Ｐ（Ｘ）は第２搬送部２８を経由することにより表裏が反転され、フェイスダウン排紙される。【選択図】図７
2011093637.tif 000002
【特許請求の範囲】
【請求項１】
記録媒体に画像を記録する記録部と、
積載された記録媒体を給送する給送部と、
前記給送部から前記記録部まで記録媒体が所定の搬送方向へ搬送される第１の媒体搬送路を備えた主搬送部と、
前記記録部により画像が記録された記録媒体の表裏を反転して前記記録部に搬送する反転搬送部であって、記録媒体を挟持して搬送し、前記所定の搬送方向と逆方向とに搬送方向を切り換える切換ローラ対と、前記切換ローラ対により前記逆方向に搬送された記録媒体が前記第１の媒体搬送路の途中へ合流して前記記録部に搬送される第２の媒体搬送路とを備えた反転搬送部と、
前記記録部により画像が記録された後に前記反転搬送部により前記第２の媒体搬送路を搬送された第１の記録媒体が、次に給送された第２の記録媒体よりも前記記録部に向かって先行するように第２の記録媒体に重ね合わされ、第１の記録媒体と重なり合って搬送される第２の記録媒体に画像が記録された後に、重なり合った第１の記録媒体及び第２の記録媒体のうちの第２の記録媒体が前記切換ローラ対により前記逆方向に搬送されることを特徴とする記録装置。
【請求項２】
前記第１の媒体搬送路は、前記第１の記録媒体の画像が記録された面とは反対側の面が、前記第２の記録媒体の前記記録部と対向して画像が記録されるべき面とは反対側の面と重なり合うように、前記記録部および前記第２の媒体搬送路に対して配置されていることを特徴とする請求項１に記載の記録装置。
【請求項３】
前記主搬送部は、記録媒体を挟持して搬送する搬送ローラ対を備え、
前記第２の媒体搬送路を搬送される第１の記録媒体は、前記第１の媒体搬送路を搬送される第２の記録媒体よりも、前記記録部に向かって先行して前記搬送ローラ対の挟持位置に到達するように搬送されることを特徴とする請求項１又は２に記載の記録装置。
【請求項４】
前記第２の媒体搬送路を搬送される第１の記録媒体が、前記搬送ローラ対に挟持されてから所定量搬送された後に前記搬送ローラ対が停止するように前記搬送ローラ対の動作を制御し、第２の記録媒体が停止した状態の前記搬送ローラ対に向かって前記第１の媒体搬送路を搬送されるように前記給送部の動作を制御することにより第１の記録媒体が第２の記録媒体よりも所定量先行するように重ね合わされ、重なり合った第１の記録媒体と第２の記録媒体とが前記搬送ローラ対により前記記録部に搬送されるように前記搬送ローラ対の動作を制御する制御部をさらに備えることを特徴とする請求項３に記載の記録装置。
【請求項５】
前記第２の媒体搬送路の途中もしくは前記第１の媒体搬送路の途中であって前記第２の媒体搬送路が合流する位置よりも下流側に配置され、記録媒体の有無を検知する第１検知部をさらに備え、
前記制御部は、画像が記録されて前記第２の媒体搬送路を搬送される第１の記録媒体が、前記第１検知部により検知された後に、第２の記録媒体の給送が開始されるように前記給送部の動作を制御することを特徴とする請求項１乃至４のいずれかに記載の記録装置。
【請求項６】
前記第１の媒体搬送路の途中であって前記第２の媒体搬送路が合流する位置よりも上流側に配置され、記録媒体の有無を検知する第２検知部をさらに備え、
前記制御部は、前記給送部から給送された前記第１の記録媒体に画像が記録されてから、画像が記録されて前記第２の媒体搬送路を搬送される第１の記録媒体が前記第１検知部により検知されるよりも前に、第２の記録媒体が前記第２検知部の検知位置に到達するまで給送されるように前記給送部の動作を制御し、画像が記録されて前記第２の媒体搬送路を搬送される第１の記録媒体が、前記第１検知部により検知されたときに、第２の記録媒体の給送が再開されるように前記給送部の動作を制御することを特徴とする請求項４又は５に記載の記録装置。
【請求項７】
画像が記録されて前記第２の媒体搬送路を搬送される第１の記録媒体が前記第１検知部の検知位置に到達してから、給送が開始もしくは再開された第２の記録媒体が前記搬送ローラ対の挟持位置に到達するまでの間に、前記制御部は、画像が記録されて前記反転搬送部に搬送された第１の記録媒体を前記所定の搬送方向において前記搬送ローラ対の挟持位置よりも前記所定量下流側に搬送した後に停止するように前記搬送ローラ対の動作を制御することを特徴とする請求項５又は６に記載の記録装置。
【請求項８】
前記制御部は、重なり合った第１の記録媒体と第２の記録媒体とが前記切換ローラ対により前記所定の搬送方向に搬送されるように前記切換ローラ対の動作を制御した後に、第１の記録媒体の後端が前記切換ローラ対の挟持位置よりも所定値以上下流側まで搬送され、かつ、第２記録媒体の後端が前記切換ローラ対に挟持されているときに前記切換ローラ対の搬送方向が逆方向に切り換わるように前記切換ローラ対の動作を制御する請求項４乃至７のいずれかに記載の記録装置。
【請求項９】
前記所定値は、前記切換ローラ対が有するいずれかのローラの半径に相当する長さである請求項８に記載の記録装置。
【請求項１０】
前記制御部は、前記第２の媒体搬送路を搬送される第１の記録媒体が前記搬送ローラ対の挟持位置に到達するときに、前記搬送ローラ対が停止又は逆転した状態であるように前記搬送ローラ対の動作を制御することを特徴とする請求項４乃至９のいずれかに記載の記録装置。
【発明の詳細な説明】
【技術分野】
【０００１】
本発明は、記録媒体の一方の面に画像を記録した後にその表裏を反転して排出可能な記録装置において、複数枚の記録媒体に連続して画像を記録するためにかかる時間を短縮することが可能な記録装置に関するものである。
【背景技術】
【０００２】
特許文献１に記載の記録装置は、記録媒体が積載される用紙積載台と、積載された記録媒体を給送する給送ローラと、給送された記録媒体をＵターンするように記録部に搬送する搬送部と、搬送された記録媒体に画像を記録する記録部と、画像が記録された記録媒体が排出される排出トレイとを備えている。さらにこの記録装置は、画像が記録された記録媒体を搬送部に再給送する再給送部を備えており、画像が記録された記録媒体を再給送部に搬送することにより記録媒体の両面に画像が記録される。
【０００３】
この記録装置において、記録部により画像が記録された記録媒体を排出トレイに排出すると、記録媒体の面のうちの排出される直前に画像が記録された面が上を向いて排出される、いわゆるフェイスアップ排出となる。
【０００４】
しかし、フェイスアップ排出では、連続して複数枚の記録媒体に画像を記録した場合に、排出された記録媒体の頁順が逆順になっているため、ユーザが頁順を揃えなおす必要があり、手間がかかる。そこで、連続して複数枚の記録媒体に画像を記録する場合には、頁順を揃えなおす必要のないフェイスダウン排出が望まれる場合がある。フェイスダウン排出では、記録媒体の面のうち排出される直前に画像が記録された面が下を向くように記録媒体が排出される。この記録装置において、フェイスダウン排出する場合には、画像が記録された記録媒体を再給送部に案内し、搬送部及び記録部を経由させることによりその表裏を反転し、表裏が反転した記録媒体を排出トレイに排出する。
【０００５】
また、この記録装置において、次の記録媒体を給送する場合には、画像が記録された第１の記録媒体が再給送部に案内されて搬送部及び記録部を通過した後に、用紙積載台に積載された第２の記録媒体の給送が開始される。つまり、画像が記録された第１の記録媒体の後端と、次に給送される第２の記録媒体の先端とが重ならないように、第１の記録媒体と第２の記録媒体との間に所定の間隔を空けながら搬送している。
【先行技術文献】
【特許文献】
【０００６】
【特許文献１】特開平１１−３３５００７号公報
【発明の概要】
【発明が解決しようとする課題】
【０００７】
特許文献１に記載の記録装置においては、第１の記録媒体が記録部を下流方向へ２度通過した後に、第２の記録媒体を給送しなければならず、第２の記録媒体の給送を開始するまでに時間がかかるという問題がある。記録枚数が多ければ多いほど、この問題は顕著に現れる。
【０００８】
本発明は、上記課題を解決すべくなされたものであり、その目的は、記録媒体の一方の面に画像を記録した後にその表裏を反転して排出可能な記録装置において、複数枚の記録媒体に連続して画像を記録するためにかかる時間を短縮することが可能な記録装置を提供することにある。
【課題を解決するための手段】
【０００９】
請求項１の記録装置は、記録媒体に画像を記録する記録部と、積載された記録媒体を給送する給送部と、前記給送部から前記記録部まで記録媒体が所定の搬送方向へ搬送される第１の媒体搬送路を備えた主搬送部と、前記記録部により画像が記録された記録媒体の表裏を反転して前記記録部に搬送する反転搬送部であって、記録媒体を挟持して搬送し、前記所定の搬送方向と逆方向とに搬送方向を切り換える切換ローラ対と、前記切換ローラ対により前記逆方向に搬送された記録媒体が前記第１の媒体搬送路の途中へ合流して前記記録部に搬送される第２の媒体搬送路とを備えた反転搬送部と、前記記録部により画像が記録された後に前記反転搬送部により前記第２の媒体搬送路を搬送された第１の記録媒体が、次に給送された第２の記録媒体よりも前記記録部に向かって先行するように第２の記録媒体に重ね合わされ、第１の記録媒体と重なり合って搬送される第２の記録媒体に画像が記録された後に、重なり合った第１の記録媒体及び第２の記録媒体のうちの第２の記録媒体が前記切換ローラ対により前記逆方向に搬送される。
【００１０】
この構成によれば、第１の記録媒体と第２の記録媒体とを重ねて搬送することにより、第２の記録媒体に画像が記録されるまでの時間を短縮することができる。また、第１の記録媒体が第２の記録媒体に先行しているため、第１の記録媒体と重なり合った第２の記録媒体に画像が記録された後に、切換ローラ対により第１の記録媒体から第２の記録媒体だけを分離して搬送できる。
【００１１】
請求項２の記録装置において、前記第１の媒体搬送路は、前記第１の記録媒体の画像が記録された面とは反対側の面が、前記第２の記録媒体の前記記録部と対向して画像が記録されるべき面とは反対側の面と重なり合うように、前記記録部および前記第２の媒体搬送路に対して配置されている。
【００１２】
この構成によれば、第１の記録媒体と重なり合った第２の記録媒体の面のうちの画像が記録されるべき面に画像を記録することができる。
【００１３】
請求項３の記録装置において、前記主搬送部は、記録媒体を挟持して搬送する搬送ローラ対を備え、前記第２の媒体搬送路を搬送される第１の記録媒体は、前記第１の媒体搬送路を搬送される第２の記録媒体よりも、前記記録部に向かって先行して前記搬送ローラ対の挟持位置に到達するように搬送される。
【００１４】
この構成によれば、第１の記録媒体を、第２の記録媒体よりも先行するように重ね合わせることが簡単できる。
【００１５】
請求項４の記録装置において、前記第２の媒体搬送路を搬送される第１の記録媒体が、前記搬送ローラ対に挟持されてから所定量搬送された後に前記搬送ローラ対が停止するように前記搬送ローラ対の動作を制御し、第２の記録媒体が停止した状態の前記搬送ローラ対に向かって前記第１の媒体搬送路を搬送されるように前記給送部の動作を制御することにより第１の記録媒体が第２の記録媒体よりも所定量先行するように重ね合わされ、重なり合った第１の記録媒体と第２の記録媒体とが前記搬送ローラ対により前記記録部に搬送されるように前記搬送ローラ対の動作を制御する制御部をさらに備える。
【００１６】
この構成によれば、第１の記録媒体を、第２の記録媒体よりも所定量先行するように重ね合わせることが簡単できる。また、給送部により給送された第２の記録媒体が搬送ローラ対の挟持位置に到達するとき、搬送ローラ対は停止しているため第２の記録媒体の斜行を正すことができる。
【００１７】
請求項５の記録装置において、前記第２の媒体搬送路の途中もしくは前記第１の媒体搬送路の途中であって前記第２の媒体搬送路が合流する位置よりも下流側に配置され、記録媒体の有無を検知する第１検知部をさらに備え、前記制御部は、画像が記録されて前記第２の媒体搬送路を搬送される第１の記録媒体が、前記第１検知部により検知されたときに、第２の記録媒体の給送が開始されるように前記給送部の動作を制御する。
【００１８】
この構成によれば、第１検知部の検知結果により第２の記録媒体の給送が開始される。これにより、第２の記録媒体の給送の開始時期が簡単に判断できる。
【００１９】
請求項６の記録装置において、前記第１の媒体搬送路の途中であって前記第２の媒体搬送路が合流する位置よりも上流側に配置され、記録媒体の有無を検知する第２検知部をさらに備え、前記制御部は、前記給送部から給送された前記第１の記録媒体に画像が記録されてから、画像が記録されて前記第２の媒体搬送路を搬送される第１の記録媒体が前記第１検知部により検知されるよりも前に、第２の記録媒体が前記第２検知部の検知位置に到達するまで給送されるように前記給送部の動作を制御し、画像が記録されて前記第２の媒体搬送路を搬送される第１の記録媒体が、前記第１検知部により検知されたときに、第２の記録媒体の給送が再開されるように前記給送部の動作を制御する。
【００２０】
この構成によれば、第２の記録媒体が、搬送ローラ対の挟持位置に到達するまでの時間が短縮される。これにより、第２の記録媒体に画像が記録されるまでの時間がさらに短縮できる。
【００２１】
請求項７の記録装置において、画像が記録されて前記第２の媒体搬送路を搬送される第１の記録媒体が前記第１検知部の検知位置に到達してから、給送が開始もしくは再開された第２の記録媒体が前記搬送ローラ対の挟持位置に到達するまでの間に、前記制御部は、画像が記録されて前記反転搬送部に搬送された第１の記録媒体を前記所定の搬送方向において前記搬送ローラ対の挟持位置よりも前記所定量下流側に搬送した後に停止するように前記搬送ローラ対の動作を制御する。
【００２２】
この構成によれば、給送部から給送された第２の記録媒体が搬送ローラ対の挟持位置に到達したときに、第２の記録媒体と第１の記録媒体とが所定量ずれて重ね合わされる。これにより搬送ローラ対の動作により簡単に第１の記録媒体と第２の記録媒体とを重ね合わせることができる。
【００２３】
請求項８の記録装置において、前記制御部は、重なり合った第１の記録媒体と第２の記録媒体とが前記切換ローラ対により前記所定の搬送方向に搬送されるように前記切換ローラ対の動作を制御した後に、第１の記録媒体の後端が前記切換ローラ対の挟持位置よりも所定値以上下流側まで搬送され、かつ、第２記録媒体の後端が前記切換ローラ対に挟持されているときに前記切換ローラ対の搬送方向が逆方向に切り換わるように前記切換ローラ対の動作を制御する。
【００２４】
この構成によれば、切換ローラ対の搬送方向の切り換えにより、切換ローラ対の逆方向への搬送により、重なり合う第１の記録媒体及び第２の記録媒体のうちの第２の記録媒体だけを搬送することができる。一方、第１の記録媒体は切換ローラ対の逆方向への搬送によっては搬送されない。従って、重なり合う第１の記録媒体と第２の記録媒体とを確実に分離することができる。
【００２５】
請求項９の記録装置において、前記所定値は、前記切換ローラ対が有するいずれかのローラの半径に相当する長さである。
【００２６】
この構成によれば、重なり合う第１の記録媒体と第２の記録媒体とをより確実に分離することができる。
【００２７】
請求項１０の記録装置において、前記制御部は、前記第２の媒体搬送路を搬送される第１の記録媒体が前記搬送ローラ対の挟持位置に到達するときに、前記搬送ローラ対が停止又は逆転した状態であるように前記搬送ローラ対の動作を制御する。
【００２８】
この構成によれば、第２の媒体搬送路を搬送される第１の記録媒体が搬送ローラ対の挟持位置に到達するときに搬送ローラ対は停止又は逆転した状態であるため、第１の記録媒体の斜行を正すことができる。また、第２の記録媒体が搬送ローラ対の挟持位置に到達するときにも、搬送ローラ対は停止した状態であるため、第１の記録媒体と第２の記録媒体とが重なり合うときのずれ量を確実に所定量にすることができる。
【発明の効果】
【００２９】
本発明の記録装置によれば、記録媒体の一方の面に画像を記録した後にその表裏を反転して排出可能な記録装置において、複数枚の記録媒体に連続して画像を記録するためにかかる時間を短縮することが可能な記録装置を提供することができる。
【図面の簡単な説明】
【００３０】
【図１】本発明の第１実施形態に係る複合機１０の外観斜視図
【図２】本発明の第１実施形態に係るプリンタ部１４の概略断面図
【図３】本発明の第１実施形態に係る記録紙Ｐ（Ｘ）の先端が搬送ローラ対５２に到達した状態を示す説明図
【図４】本発明の第１実施形態に係る記録紙Ｐ（Ｘ）が搬送ローラ対５２により第１所定量Ｌだけ下流側に搬送された状態を示す説明図
【図５】本発明の第１実施形態に係る記録紙Ｐ（Ｘ＋１）の先端が搬送ローラ対５２に到達し、記録紙Ｐ（Ｘ）と記録紙Ｐ（Ｘ＋１）とが第１所定量Ｌだけずれて重なった状態を示す説明図
【図６】本発明の第１実施形態に係る複合機１０の制御系統を示すブロック図
【図７】本発明の第１実施形態に係る制御部９６により実行される記録動作を示すフローチャート
【図８】本発明の第２実施形態に係るプリンタ部１４の概略断面図
【図９】本発明の第１実施形態に係るプリンタ部１４の変形例を示す概略断面図
【発明を実施するための形態】
【００３１】
以下、適宜図面を参照して、本発明の好ましい実施形態について説明する。
【００３２】
［第１実施形態］
図１は、本発明の第１実施形態である複合機１０の外観斜視図である。なお、以下の説明においては、複合機１０が使用可能に設置された図１の状態を基準として上下方向１を定義し、操作パネル１２が設けられている側を前側として前後方向２を定義し、複合機１０を前側から見て左右方向３を定義する。
【００３３】
複合機１０は、上下方向よりも、左右方向及び前後方向のほうが長い概ね直方体である。複合機１０は、下部にプリンタ部１４を、上部にスキャナ部１６を、前側上部に操作パネル１２を備えている。操作パネル１２は、後述する第１入力ボタン９３を備える。以下、プリンタ部１４の詳細について説明する。なお、スキャナ部１６及び操作パネル１２の詳細についてはその説明を省略する。
【００３４】
［プリンタ部１４の構成］
図２に示すように、プリンタ部１４は、画像記録部１８と、給紙部２０と、第１搬送部２４と、切換部２６と、排紙部２３と、第２搬送部２８と、合流部８５と、検知部２９とを有する。第１搬送部２４は、給紙部２０から画像記録部１８を経由して切換部２６に記録紙を搬送する。切換部２６は、記録紙の裏面に画像を記録するために記録紙の搬送方向を切り換える。第２搬送部２８は、搬送方向が切り換えられた記録紙を再び第１搬送部２４に搬送する。合流部８５は、第２搬送部２８により搬送される記録紙の搬送路と、第１搬送部２４により搬送される記録紙の搬送路とが合流する位置である。以下、各構成について説明する。
【００３５】
［画像記録部１８］
画像記録部１８は、プリンタ部１４における上部に配置され、記録紙に画像を記録する。画像記録部１８は、記録ヘッド３０と、記録ヘッド３０を支持するキャリッジ３２と、記録ヘッド３０に対向して記録紙を支持するプラテン６０とを有する。
【００３６】
記録ヘッド３０は、インク滴を吐出可能であり、インクはインクカートリッジ（不図示）から供給される。
【００３７】
記録ヘッド３０が支持されるキャリッジ３２は、左右方向に往復動可能である。キャリッジ３２は、駆動源であるＣＲモータ３４（図６参照）に連結される。キャリッジ３２は、複数のギアからなる第１伝達機構（不図示）を介して、ＣＲモータ３４の回転が伝達されて左右方向に往復動する。キャリッジ３２の往復動に伴い、記録ヘッド３０はインク滴を吐出する。これにより、記録ヘッド３０に対向する記録紙に画像が記録される。
【００３８】
プラテン６０は、記録ヘッド３０の下方に配置され、前後及び左右に亘って延設される部材である。プラテン６０は、記録途中の記録紙をプラテン６０の上面で概ね水平に支持する。
【００３９】
［給紙部２０］
給紙部２０は、記録紙を積載可能な給紙カセット２２と、給紙機構３６とを有する。給紙機構３６により給紙された記録紙は、後述する第１搬送部２４により案内され、画像記録部１８によって画像が記録される。
【００４０】
給紙カセット２２は、プリンタ部１４の底部に配置され、上面が開放された箱状の部材である。給紙カセット２２には、各種サイズの記録紙が積載可能である。また、給紙カセット２２は、プリンタ部１４の正面に形成された開口３７（図１参照）から前後方向に挿抜可能である。
【００４１】
給紙機構３６は、給紙カセット２２の上方に配置される。給紙機構３６の基本的構成は公知であり、その構成は、例えば特開２００５−２４７５４２号公報などに示される。以下、簡単に給紙機構３６の構成を説明する。給紙機構３６は、積載された記録紙を給紙する給紙ローラ３８と、給紙ローラ３８を支持する支持アーム４０とを有する。
【００４２】
給紙ローラ３８は、回転可能に設けられると共に、給紙カセット２２に積載された記録紙に接離可能に設けられている。給紙ローラ３８は、駆動源である給紙モータ４２（図６参照）に連結される。給紙ローラ３８は、複数のギアからなる第２伝達機構（不図示）を介して、給紙モータ４２の回転が伝達されて回転する。給紙ローラ３８は、ＬＦ４２モータの正方向への回転により正転して、記録紙を第１搬送部２４に向けて搬送する。給紙ローラ３８は、給紙モータ４２が逆方向へ回転するときには回転しないように構成される。
【００４３】
支持アーム４０は、一方の端側に給紙ローラ３８を支持し、他方の端側が軸４１により支持される棒状の部材である。支持アーム４０は軸４１を中心に回動可能に設けられている。軸４１は、プリンタ部１４のフレーム（不図示）に固定されている。
【００４４】
また、支持アーム４０は、自重、又はバネ（不図示）により、給紙ローラ３８が下方に移動するように付勢されている。これにより、給紙ローラ３８は、給紙カセット２２に積載された記録紙の上面に当接する。給紙カセット２２が挿抜される際には、支持アーム４０は、給紙ローラ３８が上方に移動するように軸４１を中心に回動する。これにより、給紙ローラ３８は、上方へ移動して給紙カセット２２の挿抜領域から退避する。
【００４５】
［第１搬送部２４］
第１搬送部２４は、給紙カセット２２の上端付近から、画像記録部１８を経由して、後述する切換部２６の後方までに亘って配置される。第１搬送部２４は、記録紙が画像記録部１８を経由した後に切換部２６に至るように記録紙を搬送する。第１搬送部２４は、記録紙を案内する湾曲ガイド５７及び排出ガイド６２と、記録紙を搬送する搬送ローラ対５２及び排出ローラ対５４とを有する。また、第１搬送部２４によって搬送される記録紙は、第１搬送路５０上を搬送される。
【００４６】
湾曲ガイド５７は、第１湾曲ガイド５８と第２湾曲ガイド５９とを有する。第１湾曲ガイド５８は、給紙部２０より下流側から画像記録部１８より上流側までに亘って延設され、プリンタ部１４の内部側を中心とする概ね円弧状の部材である。ここで、上流側及び下流側とは、記録紙が、図２の２点鎖線の矢印により示される搬送方向５５に第１搬送路５０上を搬送されるとき、搬送方向５５における上流側及び下流側である。以下、単に「上流側」及び「下流側」と略称する。第２湾曲ガイド５９は、後述する再搬送ガイド８４の後方上部から第１湾曲ガイド５８の下流側端部の下方までに亘って延設され、プリンタ部１４の内部側を中心とする概ね円弧状の部材である。第２湾曲ガイド５９は、第１湾曲ガイド５８よりもプリンタ部１４の内部側に配置されている。第１湾曲ガイド５８と第２湾曲ガイド５９は概ね一定の間隔を空けて並設され、記録紙は第１湾曲ガイド５８と第２湾曲ガイド５９との間を搬送される。給紙ローラ３８によって搬送された記録紙は、第１湾曲ガイド５８の内側のガイド面６３及び第２湾曲ガイド５９の外側のガイド面６５に案内されて、下方から上方にＵターンするように搬送される。
【００４７】
排出ガイド６２は、画像記録部１８より下流側から後述する切換部２６より上流側までに亘って延設される部材である。排出ガイド６２は、記録済みの記録紙を排出ガイド６２の上面で概ね水平に支持する。
【００４８】
搬送ローラ対５２は湾曲ガイド５７の前方、かつ画像記録部１８の後方に配置される。搬送ローラ対５２は、駆動される搬送ローラ６４と、搬送ローラ６４に圧接されると共に、搬送ローラ６４に従動して回転する第１ピンチローラ６６とからなる。搬送ローラ６４と第１ピンチローラ６６とは、左右方向に延設される１個又は複数個のローラからなる。搬送ローラ６４は、正逆方向に回転可能である。搬送ローラ６４の正転により、湾曲ガイド５７に案内された記録紙は、画像記録部１８に向けて搬送される。一方、搬送ローラ６４の逆転により、記録紙は逆向きに搬送される。なお、第１ピンチローラ６６は、搬送ローラ６４の下方に配置されている。
【００４９】
排出ローラ対５４は、画像記録部１８の前方、かつ排出ガイド６２の後方に配置される。排出ローラ対５４は、駆動される排出ローラ６８と、排出ローラ６８に圧接されると共に、排出ローラ６８に従動して回転する第２ピンチローラ７０とからなる。排出ローラ５４と第２ピンチローラ７０とは、左右方向に延設される１個又は複数個のローラからなる。排出ローラ６８は、正逆方向に回転可能である。排出ローラ６８の正転により、画像記録部１８を通過した記録紙は排出ガイド６２に向けて搬送される。なお、第２ピンチローラ７０は、排出ローラ６８の上方に配置されている。第２ピンチローラ７０は、拍車状のローラにより構成されていてもよい。これにより、記録された画像への影響を少なくすることができる。
【００５０】
搬送ローラ６４及び排出ローラ６８は、駆動源であるＰＦモータ７２（図６参照）に連結される。搬送ローラ６４及び排出ローラ６８は、複数のギアからなる第３伝達機構（不図示）を介して、ＰＦモータ７２の回転が伝達されて回転する。ＰＦモータ７２は、正逆方向に駆動可能であり、搬送ローラ６４及び排出ローラ６８は、ＰＦモータ７２の回転に伴って正逆方向に回転する。
【００５１】
図３に示すように、湾曲ガイド５７に案内された記録紙の先端は、搬送ローラ６４が停止又は逆転した状態の搬送ローラ対５２の挟持位置に突入する。記録紙の先端が搬送ローラ対５２の挟持位置に到達したとき、搬送ローラ６４は停止又は逆転しているため、記録紙は搬送ローラ対５２によっては搬送されない。そのため、先端が搬送ローラ対５２の挟持位置に到達した記録紙は、第１湾曲ガイド５８と搬送ローラ対５２との間に設けられた空間６１に撓む。撓んだ記録紙は、第１湾曲ガイド５８の内側のガイド面６３に沿った状態となる。このとき、撓んだ記録紙の反力によって、記録紙の先端が左右方向に延びる搬送ローラ対５２の挟持位置に沿うため、記録紙の先端が整えられる。ここで、記録紙の先端とは、搬送される記録紙の先端側の縁である。
【００５２】
図４に示すように、搬送された記録紙の先端が、搬送ローラ対５２の挟持位置に突入して斜行が正された後に、搬送ローラ６４が正転すると、記録紙の先端は、搬送ローラ対５２により下流側に搬送される。搬送ローラ対５２により搬送される記録紙は、撓みが吸収され、第２湾曲ガイド５９の外側のガイド面６５に沿った状態で搬送される。なお、図３及び４においては、後述する第２搬送部２８から搬送された記録紙が示されているが、給紙カセット２２から給紙された記録紙も上記と同様に搬送される。
【００５３】
［切換部２６］
切換部２６は、排出ガイド６２の前方に配置される。切換部２６は、第１搬送部２４から搬送された記録紙を、排紙部２３に排紙するか、もしくは後述の第２搬送部２８に案内するかに搬送方向を切り換える。切換部２６は、正逆方向に回転して記録紙の搬送方向を切り換えるスイッチバックローラ対５６と、記録紙の案内方向を切り換える切換フラッパ７４とを有する。
【００５４】
スイッチバックローラ対５６は、排出ガイド６２より下流側、かつ排紙部２３より上流側に配置される。スイッチバックローラ対５６は、駆動されるスイッチバックローラ７６と、スイッチバックローラ７６に圧接されると共に、スイッチバックローラ７６に従動して回転する第３ピンチローラ７８とからなる。スイッチバックローラ７６は、正逆方向に回転可能である。スイッチバックローラ７６の正転により、搬送ガイド６２上を搬送された記録紙は排紙部２３に向かって搬送される。一方、スイッチバックローラ７６の逆転により、記録紙は逆向きに搬送される。なお、第３ピンチローラ７８は、スイッチバックローラ７６の上方に配置されている。第３ピンチローラ７８は、拍車状のローラにより構成されていてもよい。これにより、記録された画像への影響を少なくすることができる。
【００５５】
スイッチバックローラ７６は、駆動源である給紙モータ４２に連結される。スイッチバックローラ７６は、複数のギアからなる第４伝達機構（不図示）を介して、給紙モータ４２の回転が伝達されて回転する。給紙モータ４２は、正逆方向に駆動可能であり、スイッチバックローラ７６は、給紙モータ４２の回転に伴って正逆方向に回転する。
【００５６】
切換フラッパ７４は、第３ピンチローラ７８の後方に配置され、記録紙の案内方向を切り換える。切換フラッパ７４は、第１補助ローラ８０と、フラッパ部８１と、第２補助ローラ８２とを備える。第１補助ローラ８０は、プリンタ部１４のフレームに回転可能に支持される。フラッパ部８１は、第１補助ローラ８０からその後方に延出され、第１補助ローラ８０を中心に回動可能に設けられる。第２補助ローラ８２は、フラッパ部８１の延出端部に配置され、フラッパ部８１の回動に伴って上下に移動する。第１補助ローラ８０及び第２補助ローラ８２は、拍車状のローラにより構成されていてもよい。これにより、記録された画像への影響を少なくすることができる。
【００５７】
切換フラッパ７４は、その回動により図２において実線で示す「排出位置」と、図２において２点鎖線で示す「再搬送位置」とを有する。
【００５８】
図２において実線で示すように、切換フラッパ７４の排出位置においては、第２補助ローラ８２が第１補助ローラ８０と概ね同じ高さに位置する。このとき、切換フラッパ７４は、排出ガイド６２上を搬送された記録紙が排紙部２３に向かって搬送されるように案内する。
【００５９】
図２において２点鎖線で示すように、切換フラッパ７４の再搬送位置においては、第２補助ローラ８２が第１補助ローラ７８の後方斜め下に位置する。このとき、切換フラッパ７４は、スイッチバックローラ対５６の逆転により搬送される記録紙が第２搬送部２８に向かって搬送されるように案内する。
【００６０】
切換フラッパ７４は、駆動源である給紙モータ４２に連結される。切換フラッパ７４は、複数のギアからなる第５伝達機構（不図示）を介して、給紙モータ４２の回転が伝達されて回動する。
【００６１】
切換フラッパ７４は、給紙モータ４２の正方向への回転により排出位置に回動し、逆方向への回転により再搬送位置に回動する。切換フラッパ７４が排出位置に位置しているとき、排出ガイド６２上を搬送された記録紙は、切換フラッパ７４の下方を経由して、スイッチバックローラ対５６に到達する。このとき、給紙モータ４２は正方向に回転しているため、スイッチバックローラ７６の正転により、記録紙はさらに下流側へ搬送される。スイッチバックローラ７６の正転によりさらに下流側へ搬送され、後端が、スイッチバックローラ対５６の挟持位置よりも下流側に
搬送された記録紙は、自重により落下して排紙部２３に排紙される。ここで、記録紙の後端とは、搬送される記録紙の後端側の縁である。
【００６２】
その後、スイッチバックローラ７６が逆転すると、切換フラッパ７４はその逆転に同期して再搬送位置に回動する。なお、スイッチバックローラ７６が逆転を開始するとき、搬送方向５５における記録紙の後端が、スイッチバックローラ対５６に挟持されている場合、挟持された記録紙は、スイッチバックローラ７６の逆転により、搬送方向５５と逆向きに搬送される。そして、スイッチバックローラ７６の逆転に同期して、切換フラッパ７４が再搬送位置に回動すると、スイッチバックローラ対５６により挟持された記録紙は、切換フラッパ７４により後述する第２搬送部２８に案内される。
【００６３】
［排紙部２３］
図１に示すように、排紙部２３は、給紙カセット２２の前方側の上方に配置される。排紙部２３は、第１搬送部２４により搬送方向５５に搬送され、スイッチバックローラ７６の正転により後端がスイッチバックローラ対の挟持位置よりも下流側に搬送された記録紙が排出される。排紙部２３は、排出された記録紙を排紙部２３の上面で支持する。排紙部２３は、給紙カセット２２と一体で構成されており、給紙カセット２２と共にプリンタ部１４に挿抜可能である。
【００６４】
本実施形態において、画像記録部１８により画像が記録された後に、切換部２６を経由して排紙部２３に排紙される記録紙は、記録紙の面のうちの排紙される直前に画像が記録された面が上を向いた状態で排紙される、いわゆるフェイスアップ排紙される。
【００６５】
［第２搬送部２８］
図２に示すように、第２搬送部２８は、スイッチバックローラ対５６の後方斜め下から、プラテン６０と給紙部２０の間を通り、第１搬送部２４を構成する湾曲ガイド５７の前方までに亘って配置されている。第２搬送部２８は、切換部２６から搬送された記録紙を第１湾曲ガイド５８に向かって搬送する。なお、第２搬送部２８によって搬送される記録紙は、第２搬送路８３上を搬送される。第２搬送部２８は、記録紙を案内する再搬送ガイド８４と、記録紙を搬送する再搬送ローラ対８６とを有する。
【００６６】
再搬送ガイド８４は、スイッチバックローラ対５６の後方斜め下から、第１湾曲ガイド５８の前方までに亘って延設される部材である。再搬送ガイド８４は、切換部２６から搬送された記録紙を再搬送ガイド８４の上面で支持する。再搬送ガイド８４上を搬送された記録紙は、第１湾曲ガイド５８に到達し、再び第１湾曲ガイド５８の内側のガイド面６３と第２湾曲ガイド５９の外側のガイド面６５との間を案内されて、下方から上方にＵターンするように画像記録部１８に向かって搬送される。
【００６７】
再搬送ローラ対８６は、再搬送ガイド８４の前後方向における中央付近に配置される。再搬送ローラ対８６は、駆動される再搬送ローラ８８と、再搬送ローラ８８に圧接されると共に再搬送ローラ８８に従動して回転する第４ピンチローラ９０とからなる。再搬送ローラ８８は、再搬送ガイド８４上を搬送された記録紙を湾曲ガイド５７に向かって搬送する。なお、第４ピンチローラ９０は、再搬送ローラ８８の上方に配置されている。
【００６８】
再搬送ローラ８８は、駆動源であるＰＦモータ７２（図６参照）に連結される。再搬送ローラ８８は、複数のギアからなる第６伝達機構（不図示）を介して、ＰＦモータ７２の回転が伝達されて回転する。再搬送ローラ８８は、記録紙をさらに下流側に搬送する方向のみに回転するように構成される。
【００６９】
［合流部８５］
合流部８５は、再搬送ガイド８４の後方であり、かつ、第１湾曲ガイド５８の上下方向における中央付近の前方に配置される。第２搬送部２８により第２搬送路８３上を搬送され、再搬送ガイド８４の後端に搬送された記録紙は、合流部８５を通過して、湾曲ガイド５７により案内されて第１搬送路５５上を搬送される。
【００７０】
［検知部２９］
検知部２９は、記録紙の有無を検知するレジセンサ５１と、シートセンサ５３とを有する。レジセンサ５１は、合流部８５より下流側、かつ、画像記録部１８より上流側に配置され、シートセンサ５３は、画像記録部１８より下流側に配置され、両センサは第１搬送路５０における記録紙の有無を検知する。レジセンサ５１及びシートセンサ５３は、検出子（不図示）と光学センサ（不図示）とをそれぞれ備える。検出子は、第１搬送路５０を横切るように配置され、第１搬送路５０に対して突出又は退避が可能に構成される。検出子の突出又は退避により、光学センサはＯＮ又はＯＦＦされる。従って、記録紙が検出子を突出又は退避した状態に変化させることにより、第１搬送路５０における記録紙の先端又は後端の位置が検出される。
【００７１】
［第１実施形態の制御系統の構成］
次に、図６に示す複合機１０の制御系統について説明する。制御系統は、スキャナ部１６を含む複合機１０の全体動作を制御するものであるが、ここではプリンタ部１４の動作の制御のみを説明する。
【００７２】
制御系統は、記録紙に画像を記録するための記録情報を記憶する第１記憶部９２と、各駆動源の駆動を制御するための制御情報を記憶する第２記憶部９７と、第１記憶部９２及び第２記憶部９７からの情報により画像記録部１８及び各駆動源の駆動を制御する制御部９６とを備えている。各駆動源として、ＣＲモータ３４、給紙モータ４２、及びＰＦモータ７２などが含まれる。
【００７３】
本実施形態では、モード設定部が、フェイスダウン排紙モードを実行するか否かの設定を行うために設けられる。モード設定部は、操作パネル１２が有する第１入力ボタン９３（図１参照）と、第１入力ボタン９３の操作により入力された情報を記憶する制御部９６の内部固定メモリ（不図示）と、制御部９６の一部の処理とを含む。モード設定部は、制御部９６がフェイスダウン排紙モードを実行するか否かの設定を行う。フェイスダウン排紙モードは、記録紙の面のうちの排紙される直前に画像が記録された面が下を向いた状態で記録紙を排紙部２３に排紙するモードである。本実施形態における記録装置では、画像記録部１８により画像が記録された記録紙をそのまま排紙部２３に排紙すると、記録紙の面のうちの排紙される直前に画像が記録された面が上を向いた状態で記録紙が排紙される、いわゆるフェイスアップ排紙がされる。記録紙をフェイスダウン排紙するためには、画像が記録された記録紙を第２搬送部２８に搬送することによりその表裏を反転させた後に排紙する必要がある。
【００７４】
フェイスアップ排紙では、記録紙の面のうちの排紙される直前に画像が記録された面が排出部２３に接触しないため、記録された画像が排紙部２３によって影響を受けるおそれがない。しかし、連続して複数枚の記録紙に画像を記録した場合に、フェイスアップ排紙では排紙された記録紙の頁順が逆順になっているため、ユーザが頁順を揃えなおす必要があり、手間がかかる。そこで、連続して複数枚の記録紙に画像を記録する場合には、頁順を揃えなおす必要のないフェイスダウン排紙が望まれる場合がある。そこで、本実施形態では、フェイスダウン排紙をユーザが希望する場合には、ユーザは第１入力ボタン９３の操作によりフェイスダウン排紙モードの設定を行う。一方、フェイスアップ排紙を希望する場合には、ユーザはフェイスダウン排紙モードの設定を行わない。これにより、ユーザの希望に応じて、画像が記録された記録紙を排紙することができる。
【００７５】
第１記憶部９２は、記録紙に画像を記録するための記録情報を記憶する。記録情報は、複合機１０の操作パネルや、ＰＣなどの外部入力装置により入力される記録動作実行の指示に含まれている情報である。複合機１０の操作パネル１２や、ＰＣなどの外部入力装置により記録動作実行の指示が入力されると、後述する制御部９６は、入力された指示に含まれている記録情報を第１記憶部９２に記憶する。
【００７６】
記録情報は、記録紙に記録する画像及び余白長の値を含む画像データを有する。記録紙の一方の面に画像を記録する片面記録の場合、画像データは記録紙の一方の面に記録すべき画像と余白長の値とを含む。記録紙の両面に画像を記録する両面記録の場合、画像データは、記録紙のおもて面に記録すべき画像と、裏面に記録すべき画像と、余白長の値とを含む。
【００７７】
第２記憶部９７は、各駆動源の駆動を制御するための制御情報を記憶する。制御情報は、後述する制御部９６が制御プログラムを実行する際に用いられる情報である。制御情報は、第１所定時間Ｔ１と、第１所定量Ｌと、第２所定時間Ｔ２と、第２所定量とに関する情報を有する。なお、第１所定時間Ｔ１と、第１所定量Ｌと、第２所定時間Ｔ２と、第２所定量とは、予め第２記憶部９７に記憶された値である。
【００７８】
第１所定時間Ｔ１は、搬送される記録紙の先端がレジセンサ５１により検知されてから、搬送ローラ６４が停止又は逆転する時間である。これにより、搬送される記録紙の先端が、搬送ローラ対５２の挟持位置に到達したとき、搬送ローラ対５２は停止又は逆転しているため、記録紙は搬送ローラ対５２によっては搬送されない。そのため、先端が搬送ローラ対５２の挟持位置に到達した記録紙は、空間６１において撓む（図３参照）。撓んだ記録紙の反力によって、記録紙の先端が左右方向に延びる搬送ローラ対５２の挟持位置に沿うため、記録媒体の斜行が正される。なお、搬送ローラ６４の第１所定時間Ｔ１の停止又は逆転は、給紙部２０により給紙された記録紙の先端がレジセンサ５１により検知されたとき、及び、第２搬送部２８により搬送された記録紙の先端がレジセンサ５１により検知されたときに行われる。
【００７９】
第１所定量Ｌは、フェイスダウン排紙モードが設定されたときのみ用いられる値である。第１所定量Ｌは、フェイスダウン排紙モードが設定され、表裏を反転するために第２搬送部２８により搬送された記録紙の先端が搬送ローラ対５２の挟持位置に到達してから、搬送ローラ６４の正転により搬送される量である（図４参照）。なお、先に給紙されて画像が記録された記録紙であって、フェイスダウン排紙モードの設定により、表裏を反転するために第２搬送部２８により搬送される記録紙を記録紙Ｐ（Ｘ）と称する。また、記録紙Ｐ（Ｘ）の次に給紙カセット２２から給紙される記録紙を記録紙Ｐ（Ｘ＋１）と称する。
【００８０】
第１所定量Ｌは、スイッチバックローラ７６の半径に相当する値Ｒ（図２参照）（以下、単に「ローラ半径長」と略称する。）に基づく値である。第１所定量Ｌは、ローラ半径長Ｒと設定値「α」を足した値に相当する。第１所定量Ｌは、記録紙Ｐ（Ｘ）と記録紙Ｐ（Ｘ＋１）とが重なり合うときのずれ量であり、重なり合って搬送される記録紙Ｐ（Ｘ）と記録紙Ｐ（Ｘ＋１）とが、スイッチバックローラ７６の正転から逆転への切換により確実に分離できるように設定される。即ち、記録紙Ｐ（Ｘ）と記録紙Ｐ（Ｘ＋１）とのずれ量がローラ半径長Ｒと設定値「α」とを足した値であれば、スイッチバックローラ７６の正転から逆転への切換により、記録紙Ｐ（Ｘ）と記録紙Ｐ（Ｘ＋１）とが確実に分離できる。本実施形態では、設定値「α」は記録紙の搬送誤差や、レジレンサ５１の検知誤差を考慮して「１０ｍｍ」に設定される。なお、設定値「α」は、第２記憶部９７に記憶された値である。
【００８１】
第２所定時間Ｔ２は、フェイスダウン排紙モードが設定されたときのみ用いられる値である。第２所定時間Ｔ２は、記録紙Ｐ（Ｘ）が搬送ローラ対５２の挟持位置から第１所定量Ｌだけ搬送方向５５に搬送されるように搬送ローラ６４が正転した後に、搬送ローラ６４が停止する時間である。本実施形態においては、搬送ローラ６４が第２所定時間Ｔ２だけ停止している間に、給紙カセット２２から給紙された記録紙Ｐ（Ｘ＋１）の先端が搬送ローラ対５２の挟持位置に到達する。つまり、第２所定時間Ｔ２は、搬送ローラ６４が停止してから、給紙カセット２２から給紙された記録紙Ｐ（Ｘ＋１）の先端が搬送ローラ対５２の挟持位置に到達するまでにかかる時間以上となるように設定される。なお、第２所定時間Ｔ２が短い程、複数枚の記録紙に連続して画像を記録するににかかる時間が短縮されるため、第２所定時間Ｔ２はなるべく短く設定される。記録紙Ｐ（Ｘ＋１）の先端が搬送ローラ対５２の挟持位置に到達するとき、記録紙Ｐ（Ｘ）の先端は、搬送ローラ対５２の挟持位置から第１所定量Ｌだけ下流側に離れて位置している。従って、記録紙Ｐ（Ｘ＋１）は、記録紙Ｐ（Ｘ）よりも第１所定量Ｌだけ下流側にずれて位置するように記録紙Ｐ（Ｘ）と重なり合う（図５参照）。
【００８２】
第２所定量は、スイッチバックローラ７６が正転する量である。スイッチバックローラ７６が正転する第２所定量とは、搬送される１枚の記録紙の先端、又は、重なり合って搬送される記録紙Ｐ（Ｘ）及び記録紙Ｐ（Ｘ＋１）のうちの後行する記録紙Ｐ（Ｘ＋１）の先端が搬送ローラ対５２の挟持位置に到達してから、搬送される１枚の記録紙の後端、または、重なり合って搬送される記録紙Ｐ（Ｘ）及び記録紙Ｐ（Ｘ＋１）のうちの後行する記録紙Ｐ（Ｘ＋１）の後端がスイッチバックローラ対５６に挟持されるまで、記録紙を搬送するスイッチバックローラの正転量である。第２所定量は、１枚の記録紙が搬送される場合であっても、記録紙Ｐ（Ｘ）と記録紙Ｐ（Ｘ＋１）とが第１所定量Ｌずれて重なり合った状態で搬送される場合であっても、同じ値である。第２所定量は、搬送ローラ６４、排出ローラ６８、及びスイッチバックローラ７６の正転により記録紙が搬送される搬送量に基づいて決定されている。
【００８３】
スイッチバックローラ７６が上記の第２所定量正転したとき、１枚の記録紙が搬送される場合には、搬送された記録紙の後端は、スイッチバックローラ対５６によって挟持されている。スイッチバックローラ７６が逆転すると、後端をスイッチバックローラ対５６によって挟持された上記記録紙は、逆向きに搬送されて第２搬送部２８に案内される。
【００８４】
スイッチバックローラ７６が上記の第２所定量正転したとき、フェイスダウン排紙モードが設定され、記録紙Ｐ（Ｘ）及び記録紙Ｐ（Ｘ＋１）が第１所定量Ｌだけずれて重なり合って搬送される場合には、重なり合う記録紙Ｐ（Ｘ）及び記録紙Ｐ（Ｘ＋１）のうちの後行する記録紙Ｐ（Ｘ＋１）の後端は、スイッチバックローラ対５６によって挟持されている。一方、先行する記録紙Ｐ（Ｘ）の後端は、スイッチバックローラ対５６の挟持位置よりもローラ半径長Ｒ以上下流側に搬送されている。後端がスイッチバックローラ対５６の挟持位置よりもローラ半径長Ｒ以上下流側に搬送された記録紙Ｐ（Ｘ）は、その自重により後行する記録紙Ｐ（Ｘ＋１）から分離されて排紙部２３に排紙される。スイッチバックローラ７６が逆転すると、後端をスイッチバックローラ対５６によって挟持された記録紙Ｐ（Ｘ＋１）は、逆向きに搬送されて第２搬送部２８に案内されるが、記録紙Ｐ（Ｘ）は排紙部２３に排紙されているため、第２搬送部２８には案内されない。
【００８５】
上記のようにスイッチバックローラ７６が第２所定量正転した後に逆転することにより、フェイスダウン排紙モードが設定され、記録紙Ｐ（Ｘ）と記録紙Ｐ（Ｘ＋１）とが重なり合った状態で搬送された場合でも、記録紙Ｐ（Ｘ）と記録紙Ｐ（Ｘ＋１）とが確実に分離される。
【００８６】
［第１実施形態の記録動作］
次に、図７を用いて、複合機１０の制御部９６により実行される記録動作について説明する。図７に示す各ステップは、制御部９６が実行する処理である。図７に示すフローチャートの各処理を実行する制御プログラムは、制御部９６の内部固定メモリに記憶される。
【００８７】
複合機１０の操作パネル１２及びＰＣなどの外部入力装置から記録動作実行の指示が入力されると、制御部９６は、入力された指示に含まれる情報を第１記憶部９２に記憶する。制御部９６は、入力された指示に含まれる情報のうちの、画像を記録する頁数に関する情報を確認する（Ｓ１）。制御部９６は、頁数を確認し、その数をｎと判断する。また、制御部９６は、入力された指示に含まれる情報のうちの少なくとも画像データを確認する。
【００８８】
ステップＳ２において、制御部９６は、Ｃｎ＝１と設定する。ここで、Ｃｎは、制御部９６が後述する処理を実行する記録紙が何枚目であるかを表す計数値である。Ｃｎ＝１の場合は、記録動作実行の指示が入力されてから、１枚目の記録紙の処理を実行することを示す。
【００８９】
ステップＳ３において、制御部９６は、給紙ローラ３８が回転するように給紙モータ４２を駆動する。給紙ローラ３８は、給紙カセット２２に積載された記録紙Ｐ（Ｘ）の上面に当接した状態で回転する。この回転により、記録紙Ｐ（Ｘ）は、給紙カセットから給紙され、第１湾曲ガイド５８と第２湾曲ガイド５９に案内されて下方から上方にＵターンするように搬送される。なお、記録紙Ｐ（Ｘ）の（Ｘ）は、処理が実行される何枚目の記録紙であるかを示す整数である。
【００９０】
ステップＳ４において、制御部９６は、レジセンサ５１が記録紙Ｐ（Ｘ）の先端を検知したか否かを確認する。ステップＳ４においてＮｏと判断される場合は、制御部９６は、記録紙Ｐ（Ｘ）がさらに搬送されるようにステップＳ３の処理を実行する。
【００９１】
一方、ステップＳ４においてＹｅｓと判断される場合は、制御部９６は、搬送ローラ６４が第１所定時間Ｔ１停止又は逆転するようにＰＦモータ７２の駆動を制御する（Ｓ５）。これにより、給紙ローラ３８により搬送される記録紙Ｐ（Ｘ）の先端が、搬送ローラ対５２の挟持位置に突入するとき、搬送ローラ６４は停止又は逆転しているため、記録紙Ｐ（Ｘ）は第１湾曲ガイド５８と搬送ローラ対との間に設けられた空間６１において撓む。撓んだ記録紙は、第１湾曲ガイド５８の内側のガイド面６３に沿った状態となる。このとき、撓んだ記録紙の反力により、記録紙の先端が左右方向に延びる搬送ローラ対５２の挟持位置に沿うため、記録紙Ｐ（Ｘ）の先端が整えられる。これにより、記録紙Ｐ（Ｘ）は斜行が正されているため、記録紙Ｐ（Ｘ）をさらに下流側に搬送する際にジャムの発生を防ぐことができる。また、記録紙Ｐ（Ｘ）に対する画像の記録を安定して行うことができる。
【００９２】
ステップＳ６において、制御部９６は、搬送ローラ６４が正転するようにＰＦモータ７２を正方向に駆動する。搬送ローラ６４の正転により、先端が搬送ローラ対５２の挟持位置に到達した記録紙Ｐ（Ｘ）は、搬送ローラ対５２によって搬送方向５５に搬送され、プラテン６０上に搬送される。なお、ＰＦモータ７２の駆動により、排出ローラ６８も正転される。
【００９３】
ステップＳ７において、制御部９６は、第１記憶部９２に記憶された画像データに基づいて、プラテン６０に搬送された記録紙Ｐ（Ｘ）に、記録紙Ｐ（Ｘ）に記録すべき画像が記録されるように画像記録部１８の動作を制御する。記録ヘッド３０とプラテン６０との間を通過した記録紙Ｐ（Ｘ）はシートセンサ５３により検知される。
【００９４】
ステップＳ８において、制御部９６は、第１記憶部９２に記憶された記録動作実行の指示に含まれる情報のうち、片面記録モードと両面記録モードとのいずれかが選択されたか確認する。片面記録モードが選択されていた場合、制御部９６はＹｅｓと判断する。一方、両面記録モードが選択されていた場合、制御部９６はＮｏと判断する。片面記録モードは、記録紙の一方の面に画像を記録するモードである。一方、両面記録モードは、記録紙の両面に画像を記録するモードである。
【００９５】
ステップＳ８において、Ｎｏと判断された場合、制御部９６は、通常の裏面記録動作を実行（Ｓ９）した後にステップＳ１２の処理を実行する。通常の裏面記録動作についての詳細は省略する。通常の裏面記録動作において、制御部９６は、少なくともおもて面に画像が記録された記録紙Ｐ（Ｘ）を、スイッチバックローラ７６の正転から逆転への切換により第２搬送部２８に案内する。制御部９６は、第２搬送部２８により搬送され、第１湾曲ガイド５８により、表裏が反転された記録紙Ｐ（Ｘ）に対して、裏面に記録すべき画像が記録されるように画像記録部１８の動作を制御する。
【００９６】
一方、ステップＳ８において、Ｙｅｓと判断された場合、制御部９６は、制御部９６の内部固定メモリを確認して、フェイスダウン排紙モードが設定されたか否かを判断する（Ｓ１０）。
【００９７】
フェイスダウン排紙モードが設定されなかった場合、つまり、フェイスアップ排紙モードの場合は、制御部９６は、ステップＳ１０においてＮｏと判断する。制御部９６は、記録紙Ｐ（Ｘ）が排紙部２３に排紙されるようにＰＦモータ７２及び給紙モータ４２を駆動（Ｓ１１）した後に、ステップＳ１２の処理を実行する。これにより、排紙部２３に排紙された記録紙Ｐ（Ｘ）はフェイスアップ排紙される。
【００９８】
ステップＳ１２において、制御部９６は、Ｃｎの値がｎであるか否かを判断する。ステップＳ１２においてＮｏと判断された場合は、画像が記録された記録紙の枚数が、記録動作実行の指示に含まれる頁数ｎに達していないため、制御部９６は、ステップＳ１３の処理を実行する。ステップＳ１３において、制御部９６は、Ｃｎの値を「１」繰り上げる。これにより、制御部９６は、続くステップＳ３以降の処理において、次の記録紙Ｐ（Ｘ＋１）に対する処理を実行する。一方、ステップＳ１２においてＹｅｓと判断された場合は、画像が記録された記録紙の枚数が、記録動作実行の指示に含まれる頁数ｎに達したため、制御部９６は、処理を終了する。
【００９９】
一方、フェイスダウン排紙モードが設定されていた場合は、制御部９６は、ステップＳ１０においてＹｅｓと判断する。制御部９６は、スイッチバックローラ７６が第２所定量正転するように給紙モータ４２を駆動する（Ｓ１４）。スイッチバックローラ７６が第２所定量正転したとき、記録紙Ｐ（Ｘ）の後端は、スイッチバックローラ対５６によって挟持されている。
【０１００】
ステップＳ１５において、制御部９６は、スイッチバックローラ７６が逆転するように給紙モータ４２を逆方向に駆動する。これにより、スイッチバックローラ対５６に後端を挟持された記録紙Ｐ（Ｘ）は逆向きに搬送されて第２搬送部２８に案内される。
【０１０１】
ステップＳ１６において、制御部９６は、再搬送ローラ８８が回転するようにＰＦモータ３０を駆動する。これにより、再搬送ガイド８４上を搬送される記録紙Ｐ（Ｘ）は、合流部８５に向けて搬送される。合流部８５を経由して搬送された記録紙Ｐ（Ｘ）は、湾曲ガイド５７により下方から上方にＵターンするように搬送され、画像が記録された面と反対の面が記録ヘッド３０に対向するように搬送される。
【０１０２】
ステップＳ１７において、制御部９６は、レジセンサ５１が記録紙Ｐ（Ｘ）の先端を検知したかを確認する。ステップＳ１７においてＮｏと判断される場合は、制御部９６は、ステップＳ１６の処理を実行し、記録紙をさらに搬送する。一方、ステップＳ１７においてＹｅｓと判断される場合は、制御部９６は、ステップＳ３３の処理を実行する。ステップＳ３３の処理において、制御部９６は、Ｃｎの値がｎであるか否かを判断する。ステップＳ３３においてＹｅｓと判断された場合は、画像が記録された記録紙の枚数が、記録動作実行の指示に含まれる頁数ｎに達したため、制御部９６は、続くステップＳ３４の処理において記録紙Ｐ（Ｘ）を排紙する。このとき、排紙部２３に排紙された記録紙Ｐ（Ｘ）は、第２搬送部２８を経由したことにより表裏が反転されているため、フェイスダウン排紙される。一方、ステップＳ３３においてＮｏと判断された場合は、画像が記録された記録紙の枚数が、記録動作実行の指示に含まれる頁数ｎに達していないため、制御部９６は、ステップＳ１８の処理を実行する。
【０１０３】
ステップＳ１８において、制御部９６は、給紙ローラ３８が回転するように給紙モータ４２を駆動する。給紙ローラ３８は、給紙カセット２２に積載された記録紙Ｐ（Ｘ＋１）の上面に当接した状態で回転する。この回転により、記録紙Ｐ（Ｘ＋１）は、給紙カセット２２から給紙され、第１湾曲ガイド５８に沿って搬送ローラ対５２の挟持位置に向かって搬送される。
【０１０４】
ステップＳ１９において、制御部９６は、搬送ローラ６４が第１所定時間Ｔ１停止又は逆転するようにＰＦモータ７２の駆動を制御する。これにより、第２搬送部２８により搬送された記録紙Ｐ（Ｘ）の先端が搬送ローラ対５２の挟持位置に突入するとき、搬送ローラ６４は停止又は逆転しているため、記録紙Ｐ（Ｘ）は第１湾曲ガイド５８と搬送ローラ対との間に設けられた空間６１において撓む。撓んだ記録紙は、第１湾曲ガイド５８の内側のガイド面６３に沿った状態となる（図４参照）。このとき、撓んだ記録紙の反力により、記録紙の先端が左右方向に延びる搬送ローラ対５２の挟持位置に沿うため、記録紙Ｐ（Ｘ）の先端が整えられる。これにより、記録紙Ｐ（Ｘ）は斜行が正されているため、記録紙Ｐ（Ｘ）をさらに下流側に搬送する際にジャムの発生を防ぐことができる。
【０１０５】
ステップＳ２０において、制御部９６は、先端が搬送ローラ対５２の挟持位置に到達した記録紙Ｐ（Ｘ）が第１所定量Ｌだけ下流側に搬送されるように、搬送ローラ６４が正転するようにＰＦモータ７２を正方向に駆動する。搬送ローラ６４の第１所定量Ｌの正転により搬送される記録紙Ｐ（Ｘ）は、撓みが吸収され、第２湾曲ガイド５９の外側のガイド面６５に沿った状態で搬送される（図５参照）。
【０１０６】
ステップＳ２１において、制御部９６は、搬送ローラ６４が第２所定時間Ｔ２停止するようにＰＦモータ７２の駆動を制御する。これにより、搬送ローラ６４が第２所定時間Ｔ２停止しているとき、搬送ローラ対５２により搬送された記録紙Ｐ（Ｘ）の先端は、搬送ローラ対５２の挟持位置から第１所定量Ｌだけ下流側に離れて位置する。搬送ローラ６４が第２所定時間Ｔ２停止している間に、ステップＳ１８において給紙された記録紙Ｐ（Ｘ＋１）が、第２湾曲ガイド５９の外側のガイド面６５に沿った状態の記録紙Ｐ（Ｘ）と第１湾曲ガイド５８の内側のガイド面６３との間を案内されて、搬送ローラ対５２の挟持位置に到達する。記録紙Ｐ（Ｘ＋１）が搬送ローラ対５２の挟持位置に到達したとき、搬送ローラ６４は停止しているため、記録紙Ｐ（Ｘ＋１）は、第１湾曲ガイド５８と搬送ローラ対５２との間に設けられた空間６１において撓む。撓んだ記録紙Ｐ（Ｘ＋１）は、第１湾曲ガイド５８の内側のガイド面に沿った状態となる（図５参照）。このとき、撓んだ記録紙Ｐ（Ｘ＋１）の反力によって、記録紙Ｐ（Ｘ＋１）の先端が左右方向に延びる搬送ローラ対５２の挟持位置に沿うため、記録紙Ｐ（Ｘ＋１）の先端が整えられる。これにより、記録紙Ｐ（Ｘ＋１）は斜行が正されているため、記録紙Ｐ（Ｘ＋１）をさらに下流側に搬送する際にジャムの発生を防ぐことができる。また、記録紙Ｐ（Ｘ＋１）に対する画像の記録を安定して行うことができる。
【０１０７】
ステップＳ２２において、制御部９６は、搬送ローラ６４が正転するようにＰＦモータ７２を正方向に駆動する。搬送ローラ６４の正転により、搬送ローラ対５２の挟持位置より第１所定量Ｌだけ下流側に位置する記録紙Ｐ（Ｘ）と、先端が搬送ローラ対５２の挟持位置に到達した記録紙Ｐ（Ｘ＋１）とは、第１所定量Ｌだけずれて重なった状態で、搬送ローラ対５２によって搬送方向５５に搬送され、プラテン６０上に搬送される。
【０１０８】
ステップＳ２３において、制御部９６は、第１記憶部９２に記憶された画像データに基づいて、プラテン６０に搬送された記録紙Ｐ（Ｘ）及び記録紙Ｐ（Ｘ＋１）のうちの記録紙Ｐ（Ｘ＋１）に、記録紙Ｐ（Ｘ＋１）に記録すべき画像が記録されるように画像記録部１８の動作を制御する。記録ヘッド３０とプラテン６０との間を通過した記録紙Ｐ（Ｘ）及び記録紙Ｐ（Ｘ＋１）はシートセンサ５３により検知される。
【０１０９】
ステップＳ２４において、制御部９６は、スイッチバックローラ７６が第２所定量正転するように給紙モータ４２を駆動する。スイッチバックローラ７６が第２所定量正転したとき、重なり合って搬送される記録紙Ｐ（Ｘ）及び記録紙Ｐ（Ｘ＋１）のうちの後行する記録紙Ｐ（Ｘ＋１）の後端は、スイッチバックローラ対５６によって挟持されている。記録紙Ｐ（Ｘ）と記録紙Ｐ（Ｘ＋１）とのずれ量は、ローラ半径長Ｒと設定値「α」とを足した値に相当する第１所定量Ｌであるため、先行する記録紙Ｐ（Ｘ）の後端は、スイッチバックローラ対５６の挟持位置よりもローラ半径長Ｒ以上下流側に搬送されている。後端がスイッチバックローラ対５６の挟持位置よりもローラ半径長Ｒ以上下流側に搬送された記録紙Ｐ（Ｘ）は、その自重により後行する記録紙Ｐ（Ｘ＋１）から分離されて排紙部２３に排紙される。このとき、排紙部２３に排紙された記録紙Ｐ（Ｘ）は、第２搬送部２８を経由したことにより表裏が反転されているため、フェイスダウン排紙される。
【０１１０】
ステップＳ２５において、制御部９６は、スイッチバックローラ７６が逆転するように給紙モータ４２を逆方向に駆動する。これにより、後端がスイッチバックローラ対５６に挟持された記録紙Ｐ（Ｘ＋１）は逆向きに搬送されて第２搬送部２８に案内される。
【０１１１】
ステップＳ２６において、制御部９６は、再搬送ローラ８８が回転するようにＰＦモータ７２を駆動する。これにより、再搬送ガイド８４上を搬送される記録紙Ｐ（Ｘ＋１）は、合流部８５に向けて搬送される。合流部８５を経由して搬送された記録紙Ｐ（Ｘ＋１）は、湾曲ガイド５７により下方から上方にＵターンするように搬送され、画像が記録された面と反対の面が記録ヘッド３０に対向するように搬送される。
【０１１２】
ステップＳ２７において、制御部９６は、レジセンサ５１が記録紙Ｐ（Ｘ＋１）の先端を検知したかを確認する。ステップＳ２７においてＮｏと判断される場合は、制御部９６は、ステップＳ２６の処理を実行し、記録紙をさらに搬送する。一方、ステップＳ２７においてＹｅｓと判断される場合は、制御部９６は、ステップＳ２８の処理を実行する。
【０１１３】
ステップＳ２８において、制御部９６は、Ｃｎ＋１の値がｎであるか否かを判断する。ステップＳ２８においてＮｏと判断された場合は、画像が記録された記録紙の枚数が、記録動作実行の指示に含まれる頁数ｎに達していないため、制御部９６は、ステップＳ２９の処理を実行する。ステップＳ２９において、制御部９６は、Ｃｎの値を「１」繰り上げる。これにより、制御部９６は、続くステップＳ１８以降の処理において、第２搬送部２８に搬送された記録紙と、その次に給紙される記録紙とに対する処理を実行する。即ち、ステップＳ２９の処理が実行された後のステップＳ１８以降の処理では、第２搬送部２８に搬送された記録紙と、新たに給紙カセット２２から給紙される記録紙とが、第１所定量Ｌだけずれて重ね合わされて搬送される。一方、ステップＳ２８においてＹｅｓと判断された場合は、画像が記録された記録紙の枚数が、記録動作実行の指示に含まれる頁数ｎに達したため、制御部９６は、続くステップＳ３０の処理を実行する。
【０１１４】
ステップＳ３０において、制御部９６は、搬送ローラ６４が第１所定時間Ｔ１停止又は逆転するようにＰＦモータ７２の駆動を制御する。第２搬送部２８により搬送された記録紙Ｐ（Ｘ＋１）の先端が、搬送ローラ対５２の挟持位置に突入するとき、搬送ローラ６４は停止又は逆転しているため、記録紙Ｐ（Ｘ＋１）は第１湾曲ガイド５８と搬送ローラ対５２との間に設けられた空間６１において撓む。撓んだ記録紙Ｐ（Ｘ＋１）は、第１湾曲ガイド５８の内側のガイド面６３に沿った状態となる。このとき、撓んだ記録紙Ｐ（Ｘ＋１）の反力により、記録紙Ｐ（Ｘ＋１）の先端が左右方向に延びる搬送ローラ対５２の挟持位置に沿うため、記録紙Ｐ（Ｘ＋１）の先端が整えられる。これにより、記録紙Ｐ（Ｘ＋１）は斜行が正されているため、記録紙Ｐ（Ｘ＋１）をさらに下流側に搬送する際にジャムの発生を防ぐことができる。
【０１１５】
ステップＳ３１において、制御部９６は、搬送ローラ６４が正転するようにＰＦモータ７２を駆動する。搬送ローラ６４の正転により、先端が搬送ローラ対５２の挟持位置に到達した記録紙Ｐ（Ｘ＋１）は、搬送ローラ対５２によって搬送方向５５に搬送され、プラテン６０上に搬送される。なお、ＰＦモータ７２の駆動により、排出ローラ６８も正転される。
【０１１６】
ステップＳ３２において、制御部９６は、記録紙Ｐ（Ｘ＋１）が排紙部２３に排紙されるようにＰＦモータ７２及び給紙モータ４２を駆動した後に、処理を終了する。これにより、排紙部２３に排紙された記録紙Ｐ（Ｘ＋１）は、フェイスダウン排紙される。
【０１１７】
本発明の第１実施形態にかかる複合機１０によれば、画像が記録された記録媒体Ｐ（Ｘ）をその表裏を反転させて排紙する際に、記録紙（Ｐ）に次に給紙される記録紙Ｐ（Ｘ＋１）を重ね合わせて搬送し、重なり合う記録紙Ｐ（Ｘ）及び記録紙Ｐ（Ｘ＋１）のうちの記録紙Ｐ（Ｘ）に画像を記録することにより、複数枚の記録紙に連続して画像を記録するためにかかる時間を短縮することができる。
【０１１８】
第１実施形態における画像記録部１８が、本発明の記録部の一例である。給送部２８が、本発明の給送部の一例である。第１搬送路５０における画像記録部１８よりも上流側が、本発明の第１の媒体搬送路である。湾曲ガイド５７と搬送ローラ対５２とが、本発明の主搬送部の一例である。切換部２６と第２搬送部２８とが、本発明の反転搬送部の一例である。スイッチバックローラ対５６が、本発明の切換ローラ対の一例である。第２搬送路８３と第１搬送路５０における合流部８５より下流側かつ画像記録部１８より上流側とが、本発明の第２の媒体搬送路の一例である。第１所定量Ｌが、本発明の所定量の一例である。レジセンサ５１もしくは再搬送センサ９５が、本発明の第１検知部の一例である。第１搬送路センサ９９が、本発明の第２検知部の一例である。制御部９６が、本発明の制御部の一例である。ローラ半径長Ｒが、本発明の所定値の一例である。
【０１１９】
［第２実施形態］
次に、図８を用いて、プリンタ部１４の第２実施形態を説明する。第２実施形態は、画像記録部１８により画像が記録された記録紙の表裏を反転する場合には、画像が記録された記録紙を逆向きに搬送して画像記録部１８を通過させた後に、その表裏を反転させて、再び画像記録部１８に搬送する構成である。なお、第１実施形態を共通する構成については、共通の符号を付し、その説明を省略する。
【０１２０】
第２実施形態におけるプリンタ部１４は、画像記録部１８と、給紙部１００と、第１搬送部１０２と、排紙部１０４と、第２搬送部１０６と、合流部１０８と、検知部（不図示）とを有する。
【０１２１】
［給紙部２０］
給紙部１００は、記録紙を積載可能な給紙カセット１１０と、給紙機構３６とを有する。給紙機構３６により給紙された記録紙は、第１搬送部１０２により案内され、画像記録部１８によって画像が記録紙に記録される。
【０１２２】
給紙カセット１１０は、画像記録部１８の後方上部に配置される。給紙機構３６は、給紙カセット１１０の上方に配置される。
【０１２３】
第１搬送部１０２は、給紙カセット１１０の下端付近から、画像記録部１８の前方までに亘って配置される。第１搬送部１０２は、給紙カセット１１０から給紙された記録紙が画像記録部１８を経由するように、記録紙を搬送する。第１搬送部１０２は、記録紙を案内する第１搬送ガイド１１２と、記録紙を搬送する第１正逆転ローラ対１１４及び第２正逆転ローラ対１１６とを有する。第１搬送部１０２によって搬送される記録紙は、第１搬送路１１８上を搬送される。
【０１２４】
第１搬送ガイド１１２は、上側ガイド１２０と下側ガイド１２２とを有する。上側ガイド１２０は、給紙カセット１１０の下端から第１正逆転ローラ対１１４の後方までに亘って延設される部材である。下側ガイド１２２は、上側ガイド１２０の上方に、上側ガイド１２０と概ね一定の間隔を空けて並設される部材である。記録紙は、上側ガイド１２０と下側ガイド１２２の間を搬送される。
【０１２５】
第１正逆転ローラ対１１４は、第１搬送ガイド１１２の前方、かつ、画像記録部１８の後方に配置される。第１正逆転ローラ対１１４は、駆動される第１正逆転ローラ１２４と、第１正逆転ローラ１２４に圧接されると共に、第１正逆転ローラ１２４に従動して回転する第１従動ローラ１２６とからなる。第１正逆転ローラ１２４と第１従動ローラ１２６とは、左右方向に延設される１個又は複数個のローラからなる。第１正逆転ローラ１２４は、正逆方向に回転可能である。第１正逆転ローラ１２４の正転により、第１搬送ガイド１１２に案内され搬送された記録紙は、画像記録部１８に向けて搬送される。一方、第１正逆転ローラ１２４の逆転により、記録紙は逆向きに搬送され、第２搬送部１０６に向かって搬送される。なお、第１従動ローラ１２６は、第１正逆転ローラ１２４の上方に配置されている。
【０１２６】
第２正逆転ローラ対１１６は、画像記録部１８の前方、かつ、後述する排出部１０４の後方に配置される。第２正逆転ローラ対１１６は、駆動される第２正逆転ローラ１２８と、第２正逆転ローラ１２８に圧接されると共に、第２正逆転ローラ１２８に従動して回転する第２従動ローラ１３０とからなる。第２正逆転ローラ１２８と第２従動ローラ１３０とは、左右方向に延設される１個又は複数個のローラからなる。第２正逆転ローラ１２８は、正逆方向に回転可能である。第２正逆転ローラ１２８の正転により、画像記録部１８を通過した記録紙は、排紙部１０４に向けて搬送される。一方、第２正逆転ローラ１２８の逆転により、記録紙は逆向きに搬送され、画像記録部１８を経由して第１正逆転ローラ対１１６に向かって搬送される。なお、第２従動ローラ１３０は、第２正逆転ローラ１２８の上方に配置されている。
【０１２７】
第１正逆転ローラ１２４及び第２正逆転ローラ１２８は、駆動源であるＰＦモータ７２に連結される。第１正逆転ローラ１２４及び第２正逆転ローラ１２８は、複数のギアからなる第７伝達機構（不図示）を介して、ＰＦモータ７２の回転が伝達されて回転する。ＰＦモータ７２は、正逆方向に駆動可能であり、第１正逆転ローラ１２４及び第２正逆転ローラ１２８は、ＰＦモータ７２の回転に伴って正逆方向に回転する。従って、第１正逆転ローラ１２４と、第２正逆転ローラ１２８とは、同期して正転及び逆転する。
【０１２８】
［排紙部１０４］
排紙部１０４は、第２正逆転ローラ対１１６の前方に配置され、第２正逆転ローラ対１１６の正転により後端が第２正逆転ローラ対１１６の挟持位置よりも下流側に搬送された記録紙が排出される。排紙部１０４は、排出された記録紙を排紙部１０４の上面で支持する。排紙部１０４は、プリンタ部１４に固定されている。
【０１２９】
［第２搬送部１０６］
第２搬送部１０６は、第１正逆転ローラ対１１４の後方に概ね扇形状に延設され、扇の要部分が第１正逆転ローラ対１１４の後方近傍に位置するように配置される。第２搬送部１０６は、第１正逆転ローラ対１１４の逆転により搬送された記録紙の表裏を反転した後に、第１正逆転ローラ対１１４に向かって上記記録紙を搬送する。なお、第２搬送部１０６によって搬送される記録紙は、第２搬送路１３２上を搬送される。第２搬送部１０６は、記録紙を案内する再搬送ガイド１３４と、記録紙を搬送する再搬送ローラ対１３６とを有する。
【０１３０】
再搬送ガイド１３４は、第１正逆転ローラ対１１４の後方に概ね扇形状に延設され、扇の要部分が第１正逆転ローラ対１１４の後方に位置するように配置される部材である。再搬送ガイド１３４は、概ね一定の間隔を空けて並設される外側の部材と内側の部材とからなる。第１正逆転ローラ１２４の逆転により搬送された記録紙は、再搬送ガイド１３４の外側の部材と内側の部材と間を搬送されることにより表裏が反転された後、再び第１正逆転ローラ対１１４に向かって搬送される。
【０１３１】
再搬送ローラ対１３６は、再搬送ガイド１３４の途中に配置される。再搬送ローラ対１３６は、駆動される再搬送ローラ１４０と、再搬送ローラ１４０に圧接されると共に再搬送ローラ１４０に従動して回転する第４ピンチローラ１４２とからなる。再搬送ローラ１４０は、再搬送ガイド１３４の間を搬送された記録紙を第１正逆転ローラ対１１４に向かって搬送する。なお、本実施形態では、再搬送ローラ対１３６は、２組のローラ対により構成される。
【０１３２】
再搬送ローラ１４０は、駆動源であるＰＦモータ７２に連結される。再搬送ローラ１４０は、複数のギアからなる第８伝達機構（不図示）を介して、ＰＦモータ７２の回転が伝達されて回転する。再搬送ローラ１４０は、記録紙をさらに下流側に搬送する方向のみに回転するように構成される。
【０１３３】
［合流部１０８］
合流部１０８は、第１正逆転ローラ対１１４の挟持位置の後方に配置される。第２搬送部１０６により第２搬送路１３２上を搬送され、再搬送ガイド１３８の前方の端部にまで搬送された記録紙は、合流部１０８を通過して、第１正逆転ローラ対１１４の挟持位置に搬送される。
【０１３４】
検知部は、記録紙の有無を検知するレジセンサ５１（不図示）を有する。レジセンサ５１は、合流部１０８よりも下流側、かつ、第１正逆転ローラ対１１４の挟持位置よりも上流側に配置され、第１搬送路１１８における記録紙の有無、及び第２搬送路１３２における記録紙の有無を検知する。
【０１３５】
［第２実施形態の制御系統の構成］
制御系統は、記録紙に画像を記録するための記録情報を記憶する第１記憶部９２と、各駆動源の駆動を制御するための制御情報を記憶する第２記憶部９７と、第１記憶部９２及び第２記憶部９７からの情報により画像記録部１８及び各駆動源の駆動を制御する制御部９６とを備えている。各駆動源として、ＣＲモータ３４、給紙モータ４２、及びＰＦモータ７２などが含まれる。
【０１３６】
第２記憶部９７は、各駆動源の駆動を制御するための制御情報を記憶する。制御情報は、後述する制御部９６が制御プログラムを実行する際に用いられる情報である。制御情報は、第１所定時間Ｔ１と、第１所定量Ｌと、第２所定時間Ｔ２と、第２所定量とに関する情報を有する。なお、第１所定時間Ｔ１と、第１所定量Ｌと、第２所定時間Ｔ２と、第２所定量は、予め第２記憶部９７に記憶された値である。
【０１３７】
第１所定時間Ｔ１は、搬送される記録紙の先端がレジセンサ５１により検知されてから、第１正逆転ローラ１２４が停止又は逆転する時間である。
【０１３８】
第１所定量Ｌは、第２正逆転ローラ１２８のローラ半径長Ｒ（図８参照）に基づく値である。第１所定量Ｌは、ローラ半径長Ｒと設定値「α」を足した値に相当する。
【０１３９】
第２所定量は、第２正逆転ローラ１２８が正転する量である。第２正逆転ローラ１２８が正転する第２所定量とは、搬送される１枚の記録紙の先端、又は、重なり合って搬送される記録紙Ｐ（Ｘ）及び記録紙Ｐ（Ｘ＋１）のうちの後行する記録紙Ｐ（Ｘ＋１）の先端が第１正逆転ローラ対１１４の挟持位置に到達してから、搬送される１枚の記録紙の後端、または、重なり合って搬送される記録紙Ｐ（Ｘ）及び記録紙Ｐ（Ｘ＋１）のうちの後行する記録紙Ｐ（Ｘ＋１）の後端が第２正逆転ローラ対１１６に挟持されるまで、記録紙を搬送する第２正逆転ローラ１２８の正転量である。第２所定量は、１枚の記録紙が搬送される場合であっても、記録紙Ｐ（Ｘ）と記録紙Ｐ（Ｘ＋１）とが第１所定量Ｌずれて重なった状態で搬送される場合であっても、同じ値である。第２所定量は、第１正逆転ローラ１２４、及び第２正逆転ローラ１２８の正転により記録紙が搬送される搬送量に基づいて決定されている。
【０１４０】
［第２実施形態の記録動作］
次に、複合機１０の制御部９６により実行される記録動作について説明する。本実施形態では、図７に示す各ステップにおいて、第１実施形態と異なる処理についてのみ説明する。
【０１４１】
ステップＳ５において、制御部９６は、第１正逆転ローラ１２４が第１所定時間Ｔ１停止又は逆転するようにＰＦモータ７２の駆動を制御する。
【０１４２】
ステップＳ６において、制御部９６は、第１正逆転ローラ１２４が正転するようにＰＦモータ７２を駆動する。なお、第１正逆転ローラ１２４の正転と同期して、第２正逆転ローラ１２８も正転する。第１正逆転ローラ１２４の正転により先端が第１正逆転ローラ対１１４の挟持位置に到達した記録紙Ｐ（Ｘ）は、プラテン６０上に搬送される。第１正逆転ローラ対１１４によりさらに下流側に搬送されて画像記録部１８を通過した記録紙Ｐ（Ｘ）は、第２正逆転ローラ対１１６によりさらに下流側に搬送される。
【０１４３】
ステップＳ１１において、制御部９６は、記録紙Ｐ（Ｘ）が排紙部１０４に排紙されるようにＰＦモータ７２を駆動する。
【０１４４】
ステップＳ１４において、制御部９６は、第２正逆転ローラ１２８が第２所定量正転するようにＰＦモータ７２を駆動する。第２正逆転ローラ１２８が第２所定量正転したとき、記録紙Ｐ（Ｘ）の後端は、第２正逆転ローラ１２８によって挟持されている。
【０１４５】
ステップＳ１５において、制御部９６は、第２正逆転ローラ１２８が逆転するようにＰＦモータ７２を逆方向に駆動する。これにより、第２正逆転ローラ対１１６に後端を挟持された記録紙Ｐ（Ｘ）は逆向きに搬送されて、記録ヘッド３０とプラテン６０との間を通過して、第１正逆転ローラ対１１４の挟持位置に到達する。第２正逆転ローラ１２８の逆転と同期して、第１正逆転ローラ１２４は逆転しているため、第１正逆転ローラ対１１４の挟持位置に到達した記録紙Ｐ（Ｘ）はさらに搬送されて、第２搬送部１０６に案内される。第２搬送部１０６に案内された記録紙Ｐ（Ｘ）は、ステップＳ２６における再搬送ローラ１４０の回転により、再搬送ガイド１３８の間をさらに搬送され、再び第１正逆転ローラ対１１４の挟持位置に到達する。第２搬送部１０６を経由した記録紙Ｐ（Ｘ）の表裏は反転された状態である。
【０１４６】
ステップＳ１９において、制御部９６は、第１正逆転ローラ１２４が第１所定時間Ｔ１停止又は逆転するようにＰＦモータ７２の駆動を制御する。
【０１４７】
ステップＳ２０において、制御部９６は、第１正逆転ローラ１２４の正転により先端が第１正逆転ローラ対１１４の挟持位置に到達した記録紙Ｐ（Ｘ）が第１所定量Ｌだけ下流側に搬送されるように、ＰＦモータ７２を駆動する。
【０１４８】
ステップＳ２４において、制御部９６は、第２正逆転ローラ１２８が第２所定量正転するようにＰＦモータ７２を駆動する。第２正逆転ローラ１２８が第２所定量正転したとき、重なり合って搬送される記録紙Ｐ（Ｘ）及び記録紙Ｐ（Ｘ＋１）のうちの後行する記録紙Ｐ（Ｘ＋１）の後端は、第２正逆転ローラ対１１６によって挟持されている。一方、先行する記録紙Ｐ（Ｘ）の後端は、第２正逆転ローラ対１１６の挟持位置よりもローラ半径長Ｒ以上下流側に搬送されている。後端が第２正逆転ローラ対１１６の挟持位置よりもローラ半径長Ｒ以上下流側に搬送された記録紙Ｐ（Ｘ）は、その自重により後行する記録紙Ｐ（Ｘ＋１）から分離されて排紙部１０４に排紙される。このとき、排紙部１０４に排紙された記録紙Ｐ（Ｘ）は、第２搬送部１０６を経由したことにより表裏が反転されているため、フェイスダウン排紙される。
【０１４９】
ステップＳ２５において、制御部９６は、第２正逆転ローラ１２８が逆転するようにＰＦモータ７２を逆方向に駆動する。これにより、第２正逆転ローラ対１１６に後端を挟持された記録紙Ｐ（Ｘ＋１）は逆向きに搬送されて、記録ヘッド３０とプラテン６０との間を通過して、第１正逆転ローラ対１１４の挟持位置に到達する。第２正逆転ローラ１２８の逆転と同期して、第１正逆転ローラ１２４は逆転しているため、第１正逆転ローラ対１１４の挟持位置に到達した記録紙Ｐ（Ｘ＋１）はさらに搬送されて、第２搬送部１０６に案内される。第２搬送部１０６に案内された記録紙Ｐ（Ｘ＋１）は、ステップＳ２６における再搬送ローラ１４０の回転により、再搬送ガイド１３８の間をさらに搬送され、再び第１正逆転ローラ対１１４の挟持位置に到達する。第２搬送部１０６を経由した記録紙Ｐ（Ｘ＋１）の表裏は反転された状態である。
【０１５０】
ステップＳ３０において、制御部９６は、第１正逆転ローラ１２４が第１所定時間Ｔ１停止又は逆転するようにＰＦモータ７２の駆動を制御する。
【０１５１】
ステップＳ３１において、制御部９６は、第１正逆転ローラ１２４が正転するようにＰＦモータ７２を駆動する。なお、第１正逆転ローラ１２４の正転と同期して、第２正逆転ローラ１２８も正転する。第１正逆転ローラ１２４の正転により先端が第１正逆転ローラ対１１４の挟持位置に到達した記録紙Ｐ（Ｘ＋１）は、プラテン６０上に搬送される。第１正逆転ローラ対１１４によりさらに下流側に搬送されて画像記録部１８を通過した記録紙Ｐ（Ｘ＋１）は、第２正逆転ローラ対１１６によりさらに下流側に搬送される。
【０１５２】
ステップＳ３２において、制御部９６は、記録紙Ｐ（Ｘ＋１）が排紙部１０４に排紙されるようにＰＦモータ７２を駆動する。
【０１５３】
第２実施形態における第１搬送路１１８のうちの第１正逆転ローラ対の挟持位置よりも上流側が、本発明の第１の媒体搬送路の一例である。第１正逆転ローラ１２４の正転により記録紙を搬送する第１正逆転ローラ対１１４と、第１搬送ガイド１１２とが、本発明の主搬送部の一例である。第１正逆転ローラ１２４の逆転により記録紙を搬送する第１正逆転ローラ対１１４と、第２正逆転ローラ１２８の逆転により記録紙を搬送する第２正逆転ローラ対１１６と、第２搬送部１０６とが、本発明の反転搬送部の一例である。第１正逆転ローラ対１１４もしくは第２正逆転ローラ対１１６が、本発明の切換ローラ対の一例である。第２搬送路１３２と第１搬送路１１８のうちの合流部１０８よりも上流側とが、本発明の第２の媒体搬送路である。
【０１５４】
［第１実施形態の変形例］
次に第１実施形態の変形例を説明する。
【０１５５】
複合機１０は、プリンタ部１４を備えていればよい。例えば、本発明の画像記録装置に相当する複合機は、スキャナ部を備えていなくてもよい。
【０１５６】
プリンタ部１４は、インクにより画像を記録する画像記録部１８を有するインクジェットプリンタであるが、画像を記録できるプリンタであればよい。例えば、プリンタ部は、トナーにより画像を記録する画像記録部を有するレーザープリンタなどであってもよい。
【０１５７】
給紙部２０は、支持アーム４０に支持された給紙ローラ３８により記録紙を給紙したが、記録紙が給紙できる構成であればよい。例えば、プリンタ部のフレームなどに固定された給紙ローラと、記録紙が給紙ローラに当接するように積載された記録紙をリフトアップする構成を有する給紙カセット２２とにより、記録紙が給紙される構成であってもよい。
【０１５８】
給紙ローラ３８は、積載された記録紙の上面に当接したが、記録紙の下面に当接してもよい。
【０１５９】
支持アーム４０は、自重又はバネ、及び給紙カセット２２の挿抜により回動したが、モータなどの駆動源に連結され、駆動源の駆動力が伝達されて回動する構成であってもよい。
【０１６０】
第１搬送部２４は、湾曲ガイド５８及び排出ガイド６２の他に、記録紙をガイドするガイド部材をさらに有していてもよい。搬送ローラ対５２は、駆動力が伝達される搬送ローラ６４の下方に、従動回転する第１ピンチローラ６６を有していたが、搬送ローラ６４の上方に第１ピンチローラ６６を有していてもよい。また、排出ローラ対５４は、駆動力が伝達される排出ローラ６８の上方に、従動回転する第２ピンチローラ７０を有していたが、排出ローラ６８の下方に第２ピンチローラ７０を有していてもよい。
【０１６１】
記録紙の先端が搬送ローラ対５２の挟持位置に突入することにより、記録紙が撓む空間６１は、第１湾曲ガイド５８と搬送ローラ対５２との間に設けられた空間としたが、これに限らず、記録紙の撓みを収容可能な空間であれば、どこに配置される空間であってもよい。
【０１６２】
切換部２６は、スイッチバックローラ対５６と、切換フラッパ７４とを有していたが、記録紙を搬送する方向を、排紙部に案内する方向、又は第２搬送部に案内する方向に切り換える構成であればよい。例えば、切換部は、切換フラッパ７４を有していなくてもよい。また、切換部は、搬送方向５５においてスイッチバックローラ対５６より下流側に、切換フラッパ７４を有していてもよい。
【０１６３】
スイッチバックローラ対５６は、駆動力が伝達されるスイッチバックローラ７６の上方に、従動回転する第３ピンチローラ７８を有していたが、スイッチバックローラ７６の下方に第３ピンチローラ７８を有していてもよい。
【０１６４】
排紙部２３は、スイッチバックローラ対５６の直前に配置されたが、記録済みの記録紙が排紙できれば、どこに配置されていてもよい。例えば、スイッチバックローラ対５６と排紙部２３との間に、記録紙を排紙部に案内するガイド部材をさらに備えていてもよい。また、スイッチバックローラ対５６と排紙部２３との間に、記録紙を一時的に支持する中間トレイをさらに備えていてもよい。
【０１６５】
検知部２９は、レジセンサ５１及びシートセンサ５３を備えているが、どちらか一方のセンサだけを備えていてもよい。また、レジセンサ５１及びシートセンサ５３は、記録紙の先端又は後端の位置が検出可能であれば、超音波センサなどの非接触センサや、記録紙の厚みを検出することにより記録紙の有無を検出するセンサでもよい。レジセンサ５１は、搬送方向５５において合流部８５よりも下流側、かつ、搬送ローラ対５２の挟持位置よりも上流側であれば、どこに配置されていてもよい。シートセンサ５３は、画像記録部１８よりも下流側、かつ、スイッチバックローラ対５６よりも上流側であれば、どこに配置されていてもよい。
【０１６６】
図９に示すように、検知部２９は、第２搬送部２８に配置され、第２搬送部２８を搬送される記録紙の有無を検知する第２搬送路センサ１３０をさらに備えてもよい。第２搬送路センサ１３０を備えた場合、制御部９６は、ステップＳ１７において、レジセンサ５１に代えて第２搬送路センサ１３０が記録紙Ｐ（Ｘ）の先端を検知したか否かを判断してもよい。なお、第２搬送路センサ１３０は、第２搬送部２８のどこに配置されていてもよい。これにより、ステップＳ１８において給紙される記録紙Ｐ（Ｘ＋１）の先端が、搬送ローラ対５２の挟持位置に到達するまでの時間を短縮することができる。
【０１６７】
検知部２９は、第１湾曲ガイド５８の下端付近に配置され、記録紙の有無を検知する第１搬送路センサ１３２（図９参照）をさらに備えてもよい。第１搬送路センサ１３２を備えた場合、制御部９６は、給紙カセット２２から給紙された記録紙Ｐ（Ｘ）の後端が第１搬送路センサ１３２により検知される位置を通過してから、ステップＳ５からステップＳ１７までの間に、給紙カセットに積載された記録紙Ｐ（Ｘ＋１）の先端が第１搬送路センサ１３２により検知される位置まで搬送されるように、給紙ローラ３８が回転するように給紙モータ４２を駆動してもよい。なお、第１搬送路センサ１３２は、第１湾曲ガイド５８の下端から合流部８５より下流側までの間であればどこに配置されていてもよい。そしてステップＳ１８において、制御部９６は、記録紙Ｐ（Ｘ＋１）の給紙が再開されるように、給紙ローラ３８が回転するように給紙モータ４２を駆動してもよい。これにより、給紙カセット２２に積載された記録紙Ｐ（Ｘ＋１）が搬送ローラ対５２の挟持位置に到達する時間よりも早く、記録紙Ｐ（Ｘ＋１）は搬送ローラ対５２の挟持位置に到達することができる。よって、給送が再開される記録紙Ｐ（Ｘ＋１）の先端が、搬送ローラ対５２の挟持位置に到達するまでの時間を短縮することができる。
【０１６８】
モード設定部は、操作パネル１２が有する第１入力ボタン９３と、制御部９６の内部固定メモリと、制御部９６の一部の処理とを含むとしたが、これに限らない。フェイスダウン排紙モードの設定は、第１入力ボタン９３により入力されるとしたが、複合機１０が有する入力ボタンであれば、どの入力ボタンであってもよい。また、第１入力ボタン９３は１個の入力ボタンとしたが、複数個の入力ボタンの組み合わせであってもよい。また、モード設定部は、第１入力ボタン９３に代えて、ＰＣなどの外部入力装置からのモード設定指令によりフェイスダウン排紙モードを設定する構成であっても良い。また、フェイスダウン排紙をユーザが希望する場合に、ユーザによりフェイスダウン排紙モードの設定が行われるとしたが、ユーザの希望に応じて、フェイスアップ排紙モードとフェイスダウン排紙モードとが選択可能であれば、これに限らない。例えば、フェイスアップ排紙モードとフェイスダウン排紙モードとのどちらかをユーザが設定するようにしてもよい。
【０１６９】
モード設定部により設定されるフェイスダウン排紙モードは、記録動作実行の指示に含まれるとしたが、ユーザにより設定されるのであれば、これに限らない。例えば、ステップＳ８においてＹｅｓと判断されたときに、制御部９６は、例えば、操作パネル１２の表示画面や、ＰＣなどの外部入力装置の表示画面に、再記録フェイスダウン排紙モードを設定するか否かを選択するようにユーザに対してメッセージを表示して、ユーザがフェイスダウン排紙モードを設定可能にしてもよい。
【０１７０】
第１所定時間Ｔ１と、第１所定量Ｌと、第２所定時間Ｔ２と、第２所定量とは、予め第２記憶部９７に記憶された値であるとしたが、これに限らない。第１所定時間Ｔ１と、第１所定量Ｌと、第２所定時間Ｔ２と、第２所定量とは、記録動作実行の指示が入力されてから算出される値であってもよい。
【０１７１】
第１所定量Ｌは、ローラ半径長Ｒと設定値「α」とを足した値に相当するとしたが、これに限らない。第１所定量Ｌは、重なり合って搬送される記録紙Ｐ（Ｘ）と記録紙Ｐ（Ｘ＋１）とが、スイッチバックローラ７６の正転から逆転への切換により確実に分離できる値であればよい。そのため、設定値「α」は「１０ｍｍ」に限らず「０」を含む任意の値でもよい。また、第１所定量は、スイッチバックローラ７６の正転から逆転への切換により確実に分離できれば、ローラ半径長Ｒの基づかない任意の値でもよい。
【０１７２】
ローラ半径長Ｒは、スイッチバックローラ７６の半径に相当する値としたが、これに限らない。ローラ半径長Ｒは、スイッチバックローラ対５６のうちの、下方に位置するローラの半径に相当する値であればよい。従って、第３ピンチローラ７８が、スイッチバックローラ７６の下方に位置する場合には、ローラ半径長Ｒは、第３ピンチローラ７８の半径に相当する値である。
【０１７３】
制御部９６は、ステップＳ１９において、搬送ローラ６４が第１所定時間Ｔ１停止又は逆転するようにＰＦモータの駆動を制御しているが、この処理は実行しなくてもよい。また、制御部９６は、ステップＳ３０において、搬送ローラ６４が第１所定時間Ｔ１停止又は逆転するようにＰＦモータの駆動を制御しているが、この処理は実行しなくてもよい。また、搬送される記録紙の先端がレジセンサ５１により検知されてから、搬送ローラが停止又は逆転する第１所定時間Ｔ１はなくてもよい。第１所定時間Ｔ１がない場合には、制御部９６は、ステップＳ５、ステップＳ１９、ステップＳ３０の処理を実行しない。この場合には、ステップＳ２０において、制御部９６は、第１所定量Ｌにレジセンサ５１の検知位置から搬送ローラ対５２の挟持位置までの長さを足した値だけ、記録紙Ｐ（Ｘ）が下流側に搬送されるように、ＰＦモータ７２を正方向に駆動する。これにより、ステップＳ２０において搬送された記録紙Ｐ（Ｘ）の先端は、搬送ローラ対５２の挟持位置から第１所定量Ｌだけ下流側に離れて位置する。
【０１７４】
制御部９６は、ステップＳ２１において、搬送ローラ６４が第２所定時間Ｔ２停止するようにＰＦモータ７２の駆動を制御しているが、これに限らない。制御部９６は、搬送ローラ６４が第２所定時間Ｔ２逆転するようにＰＦモータ７２の駆動を制御してもよい。なお、この場合に、制御部９６は、ステップＳ２０及びステップＳ２１において、搬送ローラ６４が第２所定時間Ｔ２逆転したときに、記録紙Ｐ（Ｘ）の先端が搬送ローラ対５２の挟持位置から第１所定量Ｌだけ下流側に離れて位置するように、ＰＦモータ７２の正方向への駆動及び逆方向への駆動を制御する。
【０１７５】
［第２実施形態の変形例］
次に第２実施形態の変形例を説明する。
【０１７６】
第１搬送部１０２は、第１正逆転ローラ対１１４及び第２正逆転ローラ対１１６を有するとしたが、さらに正逆転可能なローラ対を備えていてもよい。また、第１正逆転ローラ対１１４は、第１正逆転ローラ１２４の上方に第１従動ローラ１２６が配置されているとしたが、下方に配置されていてもよい。また、第２正逆転ローラ対１１６は、第２正逆転ローラ１２８の上方に第２従動ローラ１３０が配置されているとしたが、下方に配置されていてもよい。
【０１７７】
第２搬送部１０６は、２組の再搬送ローラ対１３６を有するとしたが、２組に限らない。１組の再搬送ローラ対１３６を有していてもよい。また、３組以上の再搬送ローラ対１３６を有していてもよい。
【０１７８】
なお、第１実施形態の変形例は、第２実施形態の変形例として適宜適応してもよい。
【符号の説明】
【０１７９】
１０・・・複合機
１４・・・プリンタ部
１８・・・画像記録部
２０・・・給紙部
２３・・・排紙部
２４・・・第１搬送部
２６・・・切換部
２８・・・第２搬送部
３０・・・記録ヘッド
３２・・・キャリッジ
３４・・・ＣＲモータ
３８・・・給紙ローラ
４０・・・支持アーム
４２・・・給紙モータ
５０・・・第１搬送路
５１・・・レジセンサ
５２・・・搬送ローラ対
５３・・・シートセンサ
５６・・・スイッチバックローラ対
７２・・・ＰＦモータ
７４・・・切換フラッパ
７６・・・スイッチバックローラ
７８・・・第３ピンチローラ
８３・・・第２搬送路
８５・・・合流部
９３・・・第１入力ボタン
９５・・・再搬送センサ
９６・・・制御部
９９・・・第１搬送路センサ
【図１】
2011093637.tif 000003
【図２】
2011093637.tif 000004
【図３】
2011093637.tif 000005
【図４】
2011093637.tif 000006
【図５】
2011093637.tif 000007
【図６】
2011093637.tif 000008
【図７】
2011093637.tif 000009
【図８】
2011093637.tif 000010
【図９】
2011093637.tif 000011